(57)【特許請求の範囲】
【請求項１】
着座者の起立を補助するリフト位置及び着座者を後方にチルトさせる無重力操作位置の双方を形成する家具部材動力機構であって、
第１トルクチューブと、
前記第１トルクチューブに固定され第１接続アームに回動可能に接続される第１接続リンク及び前記第１トルクチューブに固定され第２接続アームに回動可能に接続される第２接続リンクと、
前記第１及び第２接続アームが回転可能に接続されるスライド部材を有するギアハウジングと、
前記ギアハウジングに接続され、動作することで前記ギアハウジングに摺動可能に連結される前記スライド部材を摺動変位させる位置決めモータであって、前記スライド部材の摺動動作により前記第１及び第２接続アームが変位して前記第１トルクチューブを変位及び回転させるよう作用するものと、
前記スライド部材に回動可能に接続される第１及び第２接続プレートと、
前記家具部材のベース部材の第１及び第２アームレスト部のそれぞれに対向する端部において固定される第２トルクチューブとを備え、前記第１及び第２接続プレートは前記スライド部材が変位することで前記ベース部材が回動するよう前記第２トルクチューブにも接続されることを特徴とする家具部材動力機構。
【請求項２】
請求項１に記載のリフト位置及び無重力操作位置の双方を形成する家具部材動力機構において、前記スライド部材は前記ギアハウジング上の後方位置に位置するとき、前記ベース部材を、前記ベース部材の第１アームレスト面が床面に対して３０度から４０度の範囲の角度で延びるようにするリフト操作位置に配置することを特徴とする家具部材動力機構。
【請求項３】
請求項２に記載のリフト位置及び無重力操作位置の双方を形成する家具部材動力機構において、さらに前記第１トルクチューブに回動可能に連結される背もたれ部材を備え、前記スライド部材は、前記ギアハウジング上のフル前方位置に位置したとき、前記ベース部材の第２アームレスト面が床面に対して略平行に延び、前記背もたれ部材が背もたれフルリクライン位置に完全に回動する無重力操作位置に前記ベース部材を配置することを特徴とする家具部材動力機構。
【請求項４】
請求項１に記載のリフト位置及び無重力操作位置の双方を形成する家具部材動力機構であって、さらに
駆動モータと、
レッグレストアセンブリに接続され、前記駆動モータを動作させることにより後退位置とフル伸展位置との間で変位する第１及び第２パンタグラフリンクセットとを備え、
前記ギアハウジング上のフル後方位置に位置するとき、前記スライド部材は、前記ベース部材をリフト操作位置に配置することを特徴とする家具部材動力機構。
【請求項５】
請求項４に記載のリフト位置及び無重力操作位置の双方を形成する家具部材動力機構であって、前記駆動モータは前記ベース部材を前記リフト操作位置に回動する間は動作不能とされ、前記レッグレストアセンブリと前記第１及び第２パンタグラフリンクセットとが前記リフト操作位置において前記後退位置に保持されることを特徴とする家具部材動力機構。
【請求項６】
請求項４に記載のリフト位置及び無重力操作位置の双方を形成する家具部材動力機構であって、さらに
駆動ロッドと、
前記駆動ロッドに平行に延び、前記駆動ロッドをシート支持フレームの対向側面に接続する支持ロッド収容部材に対して前方または後方に摺動変位する支持ロッドとを備え、
前記駆動ロッドを前記駆動ロッドの中央長手方向軸を中心に回転させ、前記支持ロッドを前方に変位させることにより、前記第１及び第２パンタグラフリンクセットが完全に伸展することを特徴とする家具部材動力機構。
【請求項７】
請求項１に記載のリフト位置及び無重力操作位置の双方を形成する家具部材動力機構であって、前記第２トルクチューブは前記第１トルクチューブに対して略平行に延び、前記第１トルクチューブは前記第１トルクチューブの長手方向軸に対して回転可能であり、前記第２トルクチューブは固定されていることを特徴とする家具部材動力機構。
【請求項８】
請求項１に記載のリフト位置及び無重力操作位置の双方を形成する家具部材動力機構であって、前記位置決めモータの動作により前記スライド部材を摺動変位させることで、選択的に前記スライド部材を前方変位させて前記ベース部材を後方に回動させるか、または前記スライド部材を前記ギアハウジングに対して後方に変位させて前記ベース部材を前方向きにリフト位置まで回動させることを特徴とする家具部材動力機構。
【請求項９】
請求項１に記載のリフト位置及び無重力操作位置の双方を形成する家具部材動力機構であって、さらに背もたれ部材に回動可能に接続され、前記背もたれ部材を回動させるよう作用する背もたれ部材リンクセットを備え、前記第１トルクチューブは前記背もたれ部材リンクセットに接続され、前記第１トルクチューブが変位することで前記背もたれ部材が回動することを特徴とする家具部材動力機構。
【請求項１０】
請求項１に記載のリフト位置及び無重力操作位置の双方を形成する家具部材動力機構であって、
駆動モータと、
レッグレストアセンブリに接続される第１及び第２パンタグラフリンクセットとを備え、
前記第１トルクチューブが変位することで前記家具部材のベース部材が回動し、前記第１トルクチューブが回転することで前記ベース部材に連結された背もたれ部材が回動し、
前記第１及び第２パンタグラフリンクセット及び前記レッグレストアセンブリは、前記駆動モータを動作させることのみにより後退位置とフル伸展位置との間で変位することを特徴とする家具部材動力機構。
【請求項１１】
請求項１０に記載のリフト位置及び無重力操作位置の双方を形成する家具部材動力機構
であって、さらに
前記ベース部材に接続され前記ベース部材を床面に支持し、第１及び第２フレームチューブを有する管状支持フレームと、
前記第１及び第２フレームチューブのそれぞれに独立に固定されるベース側壁とを有し、前記ベース側壁はそれぞれ第１または第２アームレスト部の一方の内アームレスト壁と前記第１または第２アームレスト部の外アームレスト壁との間に形成される空間に配置されることを特徴とする家具部材動力機構。
【請求項１２】
請求項１１に記載のリフト位置及び無重力操作位置の双方を形成する家具部材動力機構であって、さらに前記ベース側壁のそれぞれに接続され、前記アームレスト部を前記ベース部材に回動可能に支持し、ベース部材回動軸を形成する取付ピンを備えることを特徴とする家具部材動力機構。
【請求項１３】
請求項１０に記載のリフト位置及び無重力操作位置の双方を形成する家具部材動力機構において、前記スライド部材は前記ギアハウジング上の後方位置に位置するとき、前記ベース部材を、ベース部材回動軸に対して前方に回動させ、前記ベース部材の第１アームレスト面が床面に対して３０度から４０度の範囲の角度で延び、前記背もたれ部材が背もたれフル直立位置に完全に前方に回動するリフト操作位置を形成することを特徴とする家具部材動力機構。
【請求項１４】
請求項１３に記載のリフト位置及び無重力操作位置の双方を形成する家具部材動力機構において、前記背もたれ部材は前記第１トルクチューブに回動可能に連結され、前記スライド部材は、前記ギアハウジング上のフル前方位置に位置したとき、前記ベース部材を前記ベース部材回動軸に対して後方に回動させ、前記ベース部材の第２アームレスト面が前記床面に対して略平行に延び、前記背もたれ部材が背もたれフルリクライン位置に完全に後方に回動する無重力操作位置を形成することを特徴とする家具部材動力機構。
【請求項１５】
請求項１４に記載のリフト位置及び無重力操作位置の双方を形成する家具部材動力機構であって、前記位置決めモータは、前記レッグレストアセンブリの伸展または後退中は動作しないことを特徴とする家具部材動力機構。
【請求項１６】
請求項１４に記載のリフト位置及び無重力操作位置の双方を形成する家具部材動力機構であって、前記位置決めモータを動作させて前記ベース部材を前記リフト操作位置に回動する間は、前記駆動モータは動作不能とされ、前記レッグレストアセンブリは前記後退位置に保持されることを特徴とする家具部材動力機構。
【請求項１７】
請求項１に記載のリフト位置及び無重力操作位置の双方を形成する家具部材動力機構であって、
駆動モータと、
レッグレストアセンブリに接続される第１及び第２パンタグラフリンクセットとを備え、前記第１及び第２パンタグラフリンクセット及び前記レッグレストアセンブリは、前記駆動モータを動作させることのみにより後退位置とフル伸展位置との間で変位することを
特徴とする家具部材動力機構。
【請求項１８】
請求項１７に記載のリフト位置及び無重力操作位置の双方を形成する家具部材動力機構であって、前記スライド部材が前方に移動するとき、前記ギアハウジングの延伸角度は、前記ギアハウジングの後方端が下方に回動するよう変化することを特徴とする家具部材動力機構。
【請求項１９】
請求項１７に記載のリフト位置及び無重力操作位置の双方を形成する家具部材動力機構であって、前記スライド部材が後方に移動するとき、前記ギアハウジングの延伸角度は、前記ギアハウジングの後方端が上方に回動するよう変化することを特徴とする家具部材動力機構。
【発明の詳細な説明】
【技術分野】
【０００１】
関連出願の相互参照
本願は、２０１４年９月２日に出願されたアメリカ特許出願番号１４／４７５，０６３の優先権を主張する。上記出願の開示事項の全体が本明細書に援用される。
【０００２】
本願開示は、リフト位置および無重力位置を形成する動力機構を有する家具部材に関する。
【背景技術】
【０００３】
本セクションは、本願開示事項に関連する背景情報を提供するが、これは必ずしも先行技術にはあたらない。
【０００４】
リクライニングチェア、ソファ、ラブシート及びオットマンシートなどの家具部材は、一般的に人体を支持して、直立又は着座操作位置から前方に変位してリフト位置に変位させ、当該家具部材の着座者を起立位置に近いより高い位置に上昇させる構造フレームを備える。このリフト機構は動力付であり、当該家具部材の通常の直立位置から有効に起立できない着座者を補助する。
【発明の概要】
【発明が解決しようとする課題】
【０００５】
しかしながら、このようなリフト移動を可能とする公知の機構では、全ての背もたれ部材の位置において壁の隙間を維持しつつ、無重力位置への人体の後方チルト運動を可能としない。
【課題を解決するための手段】
【０００６】
本セクションは、開示事項の概略を示すものであり、その範囲全体又はその全ての特徴を包括的に開示するものではない。
【０００７】
いくつかの側面によれば、リフト位置及び無重力操作位置の双方を形成する家具部材動力機構は第１トルクチューブを備える。第１及び第２接続リンクが第１トルクチューブに固定される。第１接続リンクは第１接続アームに回動可能に接続され、第２接続リンクは第２接続アームに回動可能に接続される。ギアハウジングには第１及び第２接続アームが回動可能に接続される。ギアハウジングに接続される位置決めモータが動作することで、ギアハウジングに連結されるスライド部材が変位する。スライド部材が動くことで第１及び第２接続アームが変位し、第１トルクチューブが変位し回転する。第１及び第２接続プレートがスライド部材に回転可能に接続される。第２トルクチューブの対向する端部は、家具部材のベース部の第１及び第２アームレスト部のそれぞれに固定される。第１及び第２接続プレートは第２トルクチューブにも接続され、スライド部材が変位することでベース部材が回動する。
【０００８】
他の側面によれば、リフト位置及び無重力操作位置の双方を形成する家具部材動力機構は第１トルクチューブを備える。第１及び第２接続リンクが第１トルクチューブに固定される。第１接続リンクは第１接続アームに回動可能に接続され、第２接続リンクは第２接続アームに回動可能に接続される。ギアハウジングには第１及び第２接続アームが回動可能に接続される。位置決めモータがギアハウジングに接続される。位置決めモータを動作させることで、ギアハウジングに連結されるスライド部材が摺動変位する。スライド部材の摺動動作により、第１及び第２接続アームが変位し、第１トルクチューブが変位し回転する。第１トルクチューブが変位することで、家具部材のベース部が回動し、第１トルクチューブが回転して、ベース部に連結された背もたれ部材が回動する。駆動モータがレッグレストアセンブリに接続される第１及び第２パンタグラフリンクセットに連結される。第１及び第２パンタグラフリンクセットとレッグレストアセンブリとは、前記駆動モータの動作のみにより後退位置とフル伸展位置との間で変位する。
【０００９】
さらに別の側面によればリフト位置及び無重力操作位置の双方を形成する家具部材動力機構は、ギアハウジングとギアハウジングに回動可能に接続される第１及び第２接続アームを備える。位置決めモータがギアハウジングに接続される。位置決めモータを動作させることで、ギアハウジングに摺動可能に連結されるスライド部材が変位する。スライド部材の摺動動作により、第１トルクチューブが変位し回転する。第１及び第２接続プレートがスライド部材に回動可能に接続される。第２トルクチューブの対向する端部は、家具部材のベース部の第１及び第２アームレスト部のそれぞれに固定される。第１及び第２接続プレートは第２トルクチューブにも接続され、スライド部材が変位することでベース部材の回動軸に対してベース部材が回動する。駆動モータがレッグレストアセンブリに接続される第１及び第２パンタグラフリンクセットに連結される。第１及び第２パンタグラフリンクセットとレッグレストアセンブリとは、前記駆動モータの動作のみにより後退位置とフル伸展位置との間で変位する。
【００１０】
さらなる利用分野は、本願明細書に示される記載から明らかになるであろう。この概要における説明および特定の実施例は、説明のみを目的とするものであり、本開示の範囲を限定するものではない。
【図面の簡単な説明】
【００１１】
ここに示される図面は、選択された実施形態の説明のみを目的とするものであり、可能な全ての実施を示すものではなく、本願開示事項の範囲を限定することを意図するものでもない。
【図１】本願開示の動力機構を有する家具部材の前方右斜視図。
【図２】レッグレスト伸展位置にある図１の家具部材の前方右斜視図。
【図３】図１の家具部材の右側面図。
【図４】無重力リクライン位置にある図１の家具部材の前方右斜視図。
【図５】さらにレッグレスト伸展位置を示す図４の家具部材の右側面図。
【図６】さらに背もたれ部材フルリクライン位置を示す図５の家具部材の前方右斜視図。
【図７】さらにフルリフト位置への回動後の図１の家具部材の右側面図。
【図８】図１の家具部材用の機構の前方右斜視図。
【図９】わかりやすくするためさらに部材を取り除き、レッグレスト伸展位置のレッグレストアセンブリを示す図８の機構の前方右斜視図。
【図１０】無重力位置にある図４の前方右斜視図。
【図１１】レッグレスト伸展位置のレッグレストアセンブリを示す図１０の前方右斜視図。
【図１２】わかりやすくするため、さらに部品を取り除く形で変形された図８の機構の前方右斜視図。
【図１３】わかりやすくするため、部品を取り除く形で変形された図７のリフト位置にある家具部材の前方右斜視図。
【図１４】わかりやすくするため、部品を取り除く形で変形された図６の背もたれ部材がフルリクライン位置にある家具部材の前方右斜視図。
【００１２】
いくつかの図面を通じて、対応する参照番号は、対応する部分を示す。
【発明を実施するための形態】
【００１３】
添付の図面を参照して、例示的実施形態をより詳細に説明する。
【００１４】
図１を参照すると、家具部材１０はリクライニングチェアとして表されるが、この家具部材１０は、リクライニングチェア、ソファ、ラブシート、オットマンシートないし類似の家具部材の構造の形を採っても良い。リクライニングチェアの実施形態での家具部材１０は、支持フレーム１４によって床などの表面上に支持されたベース部材１２を備える。背もたれ部材１６がベース部材１２に回動可能に接続され、完全直立位置で示される。このベース部材１２は、家具部材１０の着座者の右又は左に配置された第１アームレスト部１８と第２アームレスト部２０とを含む左右側部品を備える。
【００１５】
着座者の重量は、背もたれ部材１６に対して、背もたれ部材を回動することでシート支持フレーム２２をも変位するよう回動可能かつ変位可能に接続されるシート支持フレーム２２上に支持される。レッグレストアセンブリ２４がシート支持フレーム２２に対して前方かつ下に配置される。このレッグレストアセンブリ２４は、当業種で公知のレッグレストアセンブリと同様である。第１及び第２アームレスト部１８、２０の間に機構２６が配置され、この機構２６はベース部材１２、背もたれ部材１６及びレッグレストアセンブリ２４を動力により変位させる。
【００１６】
図２を参照すると、レッグレストアセンブリ２４がフル伸展位置で示され、レッグレスト当接パネル３２の第１パネル開口３０を貫通して延出する第１パンタグラフリンクセット２８を備える。レッグレスト当接パネル３２は第１及び第２アームレスト部１８、２０に固定され、図１に示されるレッグレストアセンブリフル後退位置においてレッグレストアセンブリと直接当接可能である。第２パンタグラフリンクセット３４がレッグレスト当接パネル３２の第２パネル開口３６を貫通して延び、第１パンタグラフリンクセット２８とともに機構２６に接続され、機構２６を操作することで変位する。
【００１７】
図３及び図１を参照すると、直立位置の家具部材１０が示され、背もたれ部材１６はフル前方ないし直立位置にある。加えて、第１及び第２調整可能脚部３８、４０が家具部材１０の両側の支持フレーム１４の下側に接続される。第１及び第２調整可能脚部３８、４０は直接床面４２に当接し、床面４２に対して家具部材１０を水平にする。第１及び第２アームレスト部１８、２０（本図では第１アームレスト部１８のみ図示）は、それぞれ、家具部材の直立位置で、床面４２に対して略平行に配置される第１アームレスト面４４を有する。第１アームレスト面４４と交差する第２アームレスト面４６は、家具部材直立位置において、角度αで延びる。いくつかの側面において、角度αは家具部材直立位置において、略２０〜３０度の角度をなす。この角度αの目的は、図５に関する説明により明らかになるであろう。
【００１８】
図４及び図３を参照すると、ベース部材回動軸４８を中心として、ベース部材回動方向「Ａ」に後方に回動した後の家具部材１０が示される。背もたれ部材１６は、この時点ではそのフル前方ないし直立位置に保たれる。家具部材１０は、フル後方回動位置にあり、第２アームレスト面４６が床面４２と略平行に延びる。レッグレストアセンブリ２４はフル後退位置にあるが、家具部材１０がフル後方回動位置にある時、レッグレストアセンブリ２４はフル伸展位置に伸展されても良く、これが図５を参照して説明される。
【００１９】
図５及び図４を参照すると、家具部材１０がベース部材回動方向「Ａ」に完全に回動した状態では、上述のように、第２アームレスト面４６は床面４２に対して略平行に延びる。その後にレッグレストアセンブリ２４が（図示される）フル伸展位置に延びると、家具部材１０の着座者の脚は、レッグレストアセンブリ２４によって完全に支持される。
【００２０】
図６及び図５を参照すると、家具部材１０がフル後方回動位置にあり、レッグレストアセンブリ２４がフル伸展位置に延びた状態では、機構２６を選択的に操作することで、背もたれ部材１６がベース部材１２に対して、家具部材１０の着座者にとって後方である背もたれ部材回動方向「Ｂ」に回動する。背もたれ部材１６は第１背もたれ部材リンクセット５０と第２背もたれ部材リンクセット（本図では図示略）とによりシート支持フレーム２２に連結される。第１背もたれ部材リンクセット５０により、背もたれ部材１６が後方に回動するにつれてシート支持フレーム２２は前方に変位する。家具部材１０の無重力位置は、背もたれ部材回動方向「Ｂ」の回動により背もたれ部材１６が図示されるフルリクライニング位置に位置し、ベース部材１２がベース部材回動方向「Ａ」の回動によりフル後方回動位置に位置し、レッグレストアセンブリ２４がフル伸展位置にあるときに実現される。この無重力位置では、着座者の心臓の高さが、フル伸展位置でのレッグレストアセンブリ２４の高さと略水平または下方にある。
【００２１】
図７及び図１〜図６を参照すると、レッグレストアセンブリ２４がフル後退位置にあるとき、家具部材１０は機構２６の操作により、ベース部材１２をベース部材回動軸４８に対して前方回動円弧方向「Ｃ」に回動変位させることが可能である。前方回動円弧方向「Ｃ」の回動中、ベース部材１２は、第１アームレスト面４４が第１アームレスト面４４と床面４２との間のチェアリフト角度となる角度βとなるまで回動する。いくつかの側面において、角度βは、略３０〜４０度である。家具部材１０のリフト位置では、着座者が家具部材１０から起立して家具部材１０から離れるように移動することが容易となる。家具部材１０の他の動作状況及び位置と同様、機構２６によりベース部材１２は動力により変位して図示されるリフト位置に到達可能である。
【００２２】
図８及び図１を参照して、機構２６ならびにベース部材１２の多数の部品を以下に説明する。ベース部材１２は、第２フレームチューブ５４に略平行に延びる第１フレームチューブ５２を含む金属チューブを用いて構成可能である。第１及び第２フレームチューブ５２、５４は、それぞれ第１及び第２アームレスト部１８、２０に対して平行に延びる。リアクロスチューブ５６が第１及び第２フレームチューブ５２、５４の間に固定して接続され、およそ支持フレーム１４の後方部に配置される。同様に（但し反対側に）、フロントクロスチューブ５８が第１及び第２フレームチューブ５２、５４の間に固定して接続され、支持フレーム１４の前方端部に配置される。第１及び第２調整可能脚部３８、４０は第１フレームチューブ５２の下面または床に面する表面の対向する端部に調節可能に接続される。同様に、第１及び第２調整可能脚部３８’、４０’が第２フレームチューブ５４の下面または床に面する表面の対向する端部に調節可能に接続される。
【００２３】
例えば合板材製のベース側壁６０が、第２フレームチューブ５４に固定される。反対向きのベース側壁（わかりやすくするため本図では図示略）も第１フレームチューブ５２に設けられる。ベース後壁６２が、これらのベース側壁の間に固定して接続され、レッグレスト当接パネル３２とともに機構２６を囲む空間の対向する閉鎖部を形成する。図示されるベース側壁６０などのベース側壁は、それぞれ第２アームレスト部２０の内アームレスト壁６４と第２アームレスト部２０の外アームレスト壁６６との間に形成される空間内に配置される。いくつかの側面によれば、内及び外アームレスト壁６４、６６も、合板材などの木材によって形成される。内及び外アームレスト壁６４、６６の間の空間にベース側壁６０を配置することで、ベース部材１２が図７を参照して図示され説明されるフルリフト位置に回動した場合でも、ベース側面の少なくとも一部が機構２６の防壁として機能する。
【００２４】
第２背もたれ部材リンクセット６８が背もたれ部材１６の右手側に接続され、第１背もたれ部材リンクセット５０の鏡像となる。第１及び第２背もたれ部材リンクセット５０、６８は、それぞれリアクロスチューブ５６とフロントクロスチューブ５８とに略平行に延びる第１トルクチューブ７０に回動可能に接続される。第１トルクチューブ７０は第１トルクチューブ７０の長手方向軸に対して軸回転可能であり、第１トルクチューブ７０を軸回転させることで、第１及び第２背もたれ部材リンクセット５０、６８が変位し、これにより背もたれ部材１６が回動する。上述のように、第１及び第２背もたれ部材リンクセット５０、６８はそれぞれシート支持フレーム２２にも接続され、これにより背もたれ部材１６を回動させることで、家具部材１０の着座者に対して略前方または後方にシート支持フレーム２２が変位することになる。
【００２５】
レッグレストアセンブリ２４を動作させるため、直流駆動モータ７２が支持フレーム１４の前方端に設けられる。駆動モータ７２を動作させることで駆動ロッド７４の長手方向軸に対して駆動ロッド７４が軸回転する。駆動ロッド７４は、第１トルクチューブ７０と略平行に延びる。第１及び第２支持アーム７６ａ、７６ｂが駆動ロッド７４に回動可能に接続され、さらにベース部材１２の前方端に配置され第１トルクチューブ７０と略平行に延びる支持アーム７６に接続される。第１及び第２パンタグラフリンクセット２８、３４は双方とも回転可能に駆動ロッド７４と支持ロッド７８のそれぞれに接続され、レッグレストアセンブリ２４がフル収納位置またはフル伸展位置のいずれにある場合でも支持する機能を果たす。
【００２６】
ベース部材１２を動力により動かし、背もたれ部材を回動位置にし、ベース部材１２をリフト位置にするため、ギアハウジング８２に接続された位置決めモータ８０がレッグレスト駆動モータ７２の近傍に配置される。ギアハウジング８２内部のウォームギアなどのギアアセンブリ（図示略）が位置決めモータ８０を動作させることで回転する。スライド部材８４がギアハウジング８２に対して摺動可能に配置され、ギアハウジング８２内部のギアアセンブリに接続される。ギアハウジング８２内部のギアアセンブリをギアハウジング８２の長手方向軸に対して回転させることで、スライド部材８４がギアハウジング８２に対して前方または後方に変位する。第１及び第２接続プレート８６ａ、８６ｂがスライド部材８４に回動可能に接続され、第２トルクチューブ８８に対して固定される。また、第２トルクチューブ８８は、第１トルクチューブ７０に対して略平行に延びる。第２トルクチューブ８８の対向する端部は、第１及び第２アームレスト部１８、２０のそれぞれに固定される。スライド部材８４をギアハウジング８２に対して長手方向に変位させることで、図４〜図７を参照して説明したようにベース部材１２がベース部材回動軸４８に対して回動し、かつ以下に説明するように背もたれ部材１６が回動する。
【００２７】
第１及び第２接続プレート８６ａ、８６ｂに加え、スライド部材８４は、スライド部材８４の対向する側面に位置し回動可能に接続される第１接続アーム９０と第２接続アーム９２のそれぞれにも接続される。この第１及び第２接続アーム９０、９２は、それぞれ双方とも第１トルクチューブ７０に接続される第１又は第２接続リンク９４ａ、９４ｂの一方に対し独立に回転可能に接続される。これにより、スライド部材８４の直線変位は、第１トルクチューブ７０に伝わり、第１トルクチューブ７０を変位させて背もたれ部材１６を回動させるための動力を提供する。
【００２８】
図９及び図８を参照すると、上述のように、第１及び第２パンタグラフリンクセット２８、３４の延出動作は駆動モータ７２を動作させることによって達成される。第１及び第２パンタグラフリンクセット２８、３４が変位する間、支持ロッド７８はシート支持フレーム２２の対向する側面に接続される支持ロッド収容部材９６に対して前方に摺動して変位する。駆動ロッド７４をその中央長手方向軸を中心に回転し、支持ロッド７８を前方に変位させることで、第１及び第２パンタグラフリンクセット２８、３４のリンク部材が完全に伸展する。位置決めモータ８０はレッグレストアセンブリ２４の伸展または後退時に動作せず、したがって、スライド部材８４の変位はレッグレストアセンブリ２４の伸展または後退には必要とされない。駆動ロッド７４を軸回転することで、支持ロッド７８に接続された第１及び第２モーションリンク９８ａ、９８ｂのそれぞれが前方に回動し、第１及び第２モーションリンク９８ａ、９８ｂが回動することで支持ロッド７８が前方に変位する。
【００２９】
図１０と図１及び図８〜図９とを参照すると、図示される背もたれフル後方回動位置とするためには、レッグレスト駆動モータ７２は動作せず、位置決めモータ８０が電動動作する。位置決めモータ８０を動作させることで、スライド部材８４が前方に摺動変位する。第１及び第２接続プレート８６ａ、８６ｂがスライド部材８４と第２トルクチューブ８８との双方に接続されることから、スライド部材８４を前方に摺動動作させることで第２トルクチューブ８８が直接前方に変位し、第１及び第２接続アーム９０、９２のそれぞれに接続されることで第１トルクチューブ７０も前方に牽引される。スライド部材８４が前方に移動するにつれ、ギアハウジング８２の後方端が図８に示される設計位置に対して下方に回動するよう、ギアハウジング８２の延伸角度が変化する。ギアハウジング８２の下方向への変位により、ベース部材１２の後端が下方向に回動する。この動作中に第１トルクチューブ７０を前方に変位させることで、背もたれ部材１６がベース部材１２とともに変位する。家具部材１０が（図示される）シート部材フル後方回動位置に達した時、第１及び第２アームレスト部１８、２０（本図では第２アームレスト部２０のみ図示）の前方下隅９９は、図１に示されるシート直立位置での対応する位置に対して、双方とも前方かつ上方に変位する。
【００３０】
図１１及び図２および図８〜図１０を参照すると、上述のように、家具部材１０が家具部材フル後方回動位置に位置するとき、第１及び第２パンタグラフリンクセット２８、３４を含むレッグレストアセンブリ２４は、駆動モータ７２を動作させることでそのフル伸展位置に伸展可能である。この駆動モータ７２の動作は、位置決めモータ８０の一切の動作と独立であり、したがってレッグレストアセンブリ２４の完全独立動作が可能となる。
【００３１】
図１２及び図８を参照すると、位置決めモータ８０を前方ないし後方動作方向に動作させることで、スライド部材８４はギアハウジング８２に対して前方ないし後方のいずれかに摺動可能である。第１及び第２接続アーム９０、９２のそれぞれの変位を許容するため、これらの部材はスライド部材接続シャフト１００を用いてスライド部材８４に回動可能に接続される。スライド部材８４の軸方向摺動動作は、したがってスライド部材接続シャフト１００と第１及び第２接続アーム９０、９２のそれぞれとが回動可能に接続されることによって実現され、これによりスライド部材８４が軸方向に変位する際に、ギアハウジング８２が上方及び下方に回動可能となる。
【００３２】
図１３及び図１２を参照すると、ベース部材１２を図示されるフルリフト位置に変位するため、位置決めモータ８０を動作させることで、ギアドライブアセンブリ１０２内のギアアセンブリ（図示略）が回転し、これによりギアハウジング８２上のスライド部材８４が軸方向に後方および上方変位方向「Ｄ」に変位する。位置決めモータ８０とギアドライブアセンブリ１０２とは、ともにギアドライブアセンブリ１０２から延び、クレビスピン１０８を用いてＵ字ブラケット１０６に回転可能に接続されるクレビス１０４によってフロントクロスチューブ５８に回動可能に接続される。このＵ字ブラケット１０６は、クレビスピン１０８がモータ回転軸１１０となるようにフロントクロスチューブ５８に固定される。スライド部材８４の後方への変位、及びこれに伴う第１及び第２接続アーム９０、９２の後方への変位により、シート支持フレーム２２とベース部材１２とが、ベース部材回動軸４８に対して前方又はリフト回転方向「Ｃ」に回動する。
【００３３】
駆動モータ７２は、シャフトハウジング１１４に接続される内部ギアアセンブリ（図示略）を有する駆動モータギアドライブアセンブリ１１２に接続される。駆動モータ７２と駆動モータギアドライブアセンブリ１１２内のギアアセンブリを動作させることで、シャフトハウジング１１４に対して軸方向変位シャフト１１６が軸方向に延伸及び後退する。軸方向変位シャフト１１６を延伸及び後退させることで、図８を参照して示されるように駆動ロッド７４が回転する。ベース部材１２を回動させるため、取付ピン１１８がベース部材回動軸４８となるように、取付ピン１１８がシート支持フレーム２２のそれぞれの面に接続される。
【００３４】
図１４及び図６を参照すると、ベース部材１２が図示される家具部材の最大回動位置に達すると、位置決めモータ８０をさらに動作させることでスライド部材８４がギアハウジング８２に対して前方方向「Ｅ」にさらに摺動して延出する。スライド部材８４が変位すると、第１トルクチューブ７０がさらに前方に変位するとともに、シート支持フレーム２２も前方に変位する。第１トルクチューブ７０が前方に変位するにつれ、上述のように第１トルクチューブ７０が第１及び第２背もたれ部材リンクセット５０、６８のそれぞれにリンク接続されることにより、背もたれ部材１６が背もたれ部材回動方向「Ｂ」に、フルリクライン位置まで回動する。
【００３５】
例示的実施形態を、本願開示を十全なものとし、当業者にその範囲を十分に伝えるよう示している。本願開示の実施形態の十全な理解を提供するため、具体的な構成要素、素子及び方法の例など、数多くの具体的詳細を記載している。当業者にとって、具体的な詳細を用いる必要はなく、例示的実施形態は多くの異なる形態で実装可能であり、また本願開示を限定するものと解釈すべきでないことは明らかであろう。いくつかの例示的実施形態において、公知の方法、公知の素子構造及び公知の技術は、詳細に記載されない。
【００３６】
本明細書中で用いられる用語は、具体的な例示的実施形態を記述することのみを目的とするものであり、限定的であることを意図しない。本明細書で使用される際、単数形は、明示されていない限り複数形も含むことを意図する。用語「備える」、「備えて」、「含んで」および「有して」は包括的であり、述べられた特徴、整数、工程、操作、要素、および／または部品の存在を特定する。しかし、１以上の特徴、整数、工程、操作、要素、部品および／または群の存在または追加を排除するものではない。本明細書で記載される方法工程、プロセスおよび操作は、実行順序として詳細に特定されない限り、必ずしも記載または図示された特定の順序で実行を要するものと解釈されるべきではない。追加工程または代替工程が用いられてもよいことも理解されるであろう。
【００３７】
要素または層が、他の要素または層「上に」ある、「に係合」、「に接続」または「に連結」すると記される場合、この要素または層は直接に他の要素または層上にあるか、係合、接続、または連結してもよい。または、介在要素または層があってもよい。一方、要素が、他の要素または層の「直接上に」ある、「に直接係合」、「に直接接続」または「に直接連結」すると記される場合、介在要素または層は存在しなくてよい。要素同士の関係を説明するのに使用される他の文言（例えば、「の間に」と「直接の間に」、「隣接して」と「直接隣接して」など）は、同様に解釈されるべきである。本明細書で用いられる際、用語「および／または」は１以上の関連づけられたリスト項目の全ての組み合わせを含む。
【００３８】
第一、第二、第三等の用語が各種要素、部品、領域、層および／または切断面を説明するために本明細書で使用されるが、これらの要素、部品、領域、層および／または切断面はこれらの用語により限定されるものではない。これらの用語は、ある要素、部品、領域、層および／または切断面を他の領域、層または切断面から区別するためにのみ使用されてもよい。本明細書で使用される際の「第一」「第二」のような用語および他の数に関する用語は、文脈で明示されない限り、配列または順序を意味しない。したがって、下記で論じられる第一要素、部品、領域、層および／または切断面は、実施例の教示から逸脱することなく第二要素、部品、領域、層および／または切断面と称されることも可能である。
【００３９】
「インナー」、「アウター」、「真下に」、「下に」、「下側の」「上に」、「上部に」等のような空間的に相対的な用語が、図示する際、ある要素または特徴と他の要素または特徴との関係の記載を容易にするために、本明細書で使われてもよい。空間的に相対的な用語は、図示される向きに加えて、使用時または操作時における装置の異なる向きを包含するとしてもよい。例えば、図の装置がひっくり返ると、他の要素または特徴の「下に」または「真下に」と記載される要素は、他の要素または特徴の「上に」置かれるだろう。このように、例示の用語「下に」は上と下両方への向きを包含することが可能である。装置は他方向に向かされてもよい（９０度回転または他の向きに）。本明細書で使用される空間関連記述子は適宜解釈される。
【００４０】
実施形態に関する上記記載は、図解および説明の目的で提供される。網羅的または開示事項を限定することを意図しない。特定の実施形態の個別の要素または特徴は、一般にその特定の実施形態に限定されないが、適用可能な場合には、詳細に図示または説明されないとしても選択された実施形態で交換可能であり、使用可能である。同じものが多くの点で変更されてもよい。そのような変更は本開示事項からの逸脱とはみなされない。そのような修正は全て本開示事項の範囲内に含まれることが意図される。
【図１】
0006419949.tif 000002
【図２】
0006419949.tif 000003
【図３】
0006419949.tif 000004
【図４】
0006419949.tif 000005
【図５】
0006419949.tif 000006
【図６】
0006419949.tif 000007
【図７】
0006419949.tif 000008
【図８】
0006419949.tif 000009
【図９】
0006419949.tif 000010
【図１０】
0006419949.tif 000011
【図１１】
0006419949.tif 000012
【図１２】
0006419949.tif 000013
【図１３】
0006419949.tif 000014
【図１４】
0006419949.tif 000015